(57)【要約】【課題】  配線・配管材の高さ位置を、簡単に変えて配設することができる、配線・配管材用台座装置を提供する。【解決手段】  配線・配管材用台座装置３は、配線・配管材２を上部にて保持可能な台座４と、その台座４を嵩上げするスペーサ５と、連結部６ａおよび固定部６ｂを有する固定具６とを、備える。ここで、台座４を、スペーサ５を介在させることなく敷設面１に配置した第１配置状態で、連結部６ａが、台座４の第１空間８に外側から差し込まれて、台座４に連結されるとともに、固定部６ｂが、台座４の外方に張り出して敷設面１に固定される。そして、スペーサ５を介在させて台座４を敷設面１に配置した第２配置状態で、連結部６ａが、スペーサ５に設けられる第２空間９に外側から差し込まれて、台座４およびスペーサ５に連結されるとともに、固定部６ｂが、台座４およびスペーサ５の外方に張り出して敷設面１に固定される。【選択図】  図１
2015154537.tif 000002
【特許請求の範囲】
【請求項１】
配線・配管材を敷設面上に配設すべく前記配線・配管材を上部にて保持可能な台座と、前記台座と前記敷設面との間に介在して前記台座を嵩上げするスペーサと、前記台座を前記敷設面に固定するための、連結部および固定部を有する固定具とを、備え、
前記スペーサを介在させることなく前記台座を前記敷設面に配置した第１配置状態で、前記連結部が、前記台座に設けられる第１空間に外側から差し込まれて、前記台座に連結されるとともに、前記固定部が、前記台座の外方に張り出して前記敷設面に固定され、かつ、前記スペーサを介在させて前記台座を前記敷設面に配置した第２配置状態で、前記連結部が、前記スペーサまたは前記台座に設けられる第２空間に外側から差し込まれて、前記台座および／または前記スペーサに連結されるとともに、前記固定部が、前記台座および前記スペーサの外方に張り出して前記敷設面に固定されるよう、前記第１空間および前記第２空間が設けられ、また、前記固定具が形成される、配線・配管材用台座装置。
【請求項２】
前記第１空間および前記第２空間の両方は、保持する配線・配管材の経路下とは異なる各側部に設けられる、請求項１に記載の配線・配管材用台座装置。
【請求項３】
前記第２空間は、前記スペーサに設けられ、
前記台座および前記スペーサは、前記第２配置状態にて互いに連通する貫通孔を有し、
前記第２配置状態では、雄ねじ部材が、前記台座の貫通孔と前記スペーサの貫通孔とを貫通して前記第２空間に差し込まれた前記連結部にねじ込まれるとともに、前記固定部が前記敷設面に固定されることで、前記台座と前記スペーサとが一体となって、前記敷設面に固定される、請求項１または２に記載の配線・配管材用台座装置。
【請求項４】
前記第１空間を形成する内壁面または前記第２空間を形成する内壁面には、差し込まれた前記連結部と係合してその連結部を位置決めする位置決め部が設けられる、請求項１ないし３のいずれか１項に記載の配線・配管材用台座装置。
【請求項５】
前記第１空間を形成する下方を向く第１天壁面と前記連結部の上面とは、前記第１配置状態にて略接するように設けられ、かつ、前記第２空間を形成する下方を向く第２天壁面と前記連結部の上面とは、前記第２配置状態にて略接するように設けられる、請求項１ないし４のいずれか１項に記載の配線・配管材用台座装置。
【請求項６】
配線・配管材を敷設面上に配設すべく前記配線・配管材を上部にて保持可能な台座と、前記台座と前記敷設面との間に介在して前記台座を嵩上げするスペーサとを、備え、
前記台座としての第１台座が、前記スペーサを介在させることなく前記敷設面に配置されて、その第１台座の上部に設けられた配線・配管材保持部により、前記配線・配管材としての第１配線・配管材が保持され、
前記台座としての第２台座が、前記スペーサを介在させて前記敷設面に配置されて、その第２台座の上部に設けられた配線・配管材保持部により、前記配線・配管材としての第２配線・配管材が、前記第１配線・配管材の上方をその第１配線・配管材と交差するように保持され、かつ、
前記第２台座と前記スペーサとは、組み付けられて一体化されている、配線・配管材の交差配設構造。
【請求項７】
前記第１台座は、その第１台座に設けられた被連結部に第１固定具に設けられた連結部が連結されるとともに、前記第１固定具に設けられた固定部が前記敷設面に固定されることで、前記敷設面に固定され、
前記スペーサは、前記台座および／または前記スペーサに設けられた被連結部に前記第１固定具と同一の第２固定具に設けられた連結部が連結されるとともに、前記第２固定具に設けられた固定部が前記敷設面に固定されることで、前記敷設面に、前記スペーサと一体化される前記第２台座とともに固定されている、請求項６に記載の配線・配管材の交差配設構造。
【請求項８】
配線・配管材を敷設面上に配設すべく前記配線・配管材を上部にて保持可能な台座と、前記台座と前記敷設面との間に介在して前記台座を嵩上げするスペーサとを、備え、
前記スペーサは、そのスペーサを前記台座と前記敷設面との間に介在させることで、前記台座の上部に設けられた配線・配管材保持部が保持する配線・配管材が、前記スペーサを介在させることなく前記敷設面に配置された他の台座に設けられた配線・配管材保持部が保持する配線・配管材よりも、上方に交差して配設されるよう、前記台座を嵩上げする高さを有する、配線・配管材の交差配設装置。
【発明の詳細な説明】
【技術分野】
【０００１】
この発明は、配線・配管材を敷設面に配設するための、配線・配管材用台座装置、配線・配管材の交差配設構造、および配線・配管材の交差配設装置に関するものである。
【背景技術】
【０００２】
従来、建物の屋上等において、その屋上等の床面に沿って配管材を配設するにあたって、その配管材を保持する台座が用いられた（例えば、特許文献１参照）。図１８に示すように、この台座２２は、支持台ケース２３の内部にコンクリート２４を充填して形成された。そして、台座２２は、上部に溝２５を有し、溝２５の上端開口部分には、内側に向かって張り出した係合部２６、２６が設けられた。そこで、この係合部２６に係合する締付体２７により、配管材２１が締め付けられることで、配管材２１は、台座２２上に保持された。
【先行技術文献】
【特許文献】
【０００３】
【特許文献１】特開平８−４２７６１号公報
【発明の概要】
【発明が解決しようとする課題】
【０００４】
ところで、前記従来の台座２２による配管材２１の配設においては、配管材２１の配設高さは、台座２２の高さによって定まるため、異なる高さ位置に配管材２１を配設するには、それら高さに対応して、高さの異なる複数の台座２２、２２を用意する必要があり、面倒であった。
【０００５】
この発明は、上記した従来の欠点を解決するためになされたものであり、その目的とするところは、配線・配管材の高さ位置を、簡単に変えて配設することができる、配線・配管材用台座装置、配線・配管材の交差配設構造、および配線・配管材の交差配設装置を提供することにある。
【課題を解決するための手段】
【０００６】
この発明に係る配線・配管材用台座装置、配線・配管材の交差配設構造、および配線・配管材の交差配設装置は、前記目的を達成するために、次の構成からなる。すなわち、
請求項１に記載の発明に係る配線・配管材用台座装置は、配線・配管材を敷設面上に配設すべく前記配線・配管材を上部にて保持可能な台座と、前記台座と前記敷設面との間に介在して前記台座を嵩上げするスペーサと、前記台座を前記敷設面に固定するための、連結部および固定部を有する固定具とを、備える。ここで、前記スペーサを介在させることなく前記台座を前記敷設面に配置した第１配置状態で、前記連結部が、前記台座に設けられる第１空間に外側から差し込まれて、前記台座に連結されるとともに、前記固定部が、前記台座の外方に張り出して前記敷設面に固定され、かつ、前記スペーサを介在させて前記台座を前記敷設面に配置した第２配置状態で、前記連結部が、前記スペーサまたは前記台座に設けられる第２空間に外側から差し込まれて、前記台座および／または前記スペーサに連結されるとともに、前記固定部が、前記台座および前記スペーサの外方に張り出して前記敷設面に固定されるよう、前記第１空間および前記第２空間が設けられ、また、前記固定具が形成される。
【０００７】
この配線・配管材用台座装置によると、上部に配線・配管材を保持するための台座は、スペーサを介在させることなく敷設面に設置され、また、スペーサにより嵩上げされて敷設面に設置される。こうして、スペーサを使用しなかったり、スペーサを使用したりすることで、台座の配置される高さ、ひいては、配線・配管材の配設される高さを変更することができる。特に、スペーサが積重ね可能となっていれば、その個数を調整することで、台座の配置される高さ、ひいては、配線・配管材の配設される高さを必要とする高さに変更することができる。また、スペーサを介在させることなく台座を敷設面に配置した第１配置状態では、固定具は、その連結部が、台座に設けられる第１空間に外側から差し込まれて台座に連結され、固定部が、敷設面に固定される。そして、スペーサを介在させて台座を敷設面に配置した第２配置状態では、固定具は、その連結部が、スペーサまたは台座に設けられる第２空間に外側から差し込まれて、台座および／またはスペーサに連結され、固定部が、敷設面に固定される。こうして、台座に第１空間を設けるとともに、スペーサまたは台座に第２空間を設けることで、スペーサを用いない第１配置状態と、スペーサを用いた第２配置状態とのいずれにおいても、同じ、固定具を用いることができる。そして、固定具は、その連結部が第１空間または第２空間に外側から差し込まれ、固定部が、台座やスペーサの外方に張り出すことから、台座やスペーサを配置した後でも、固定具を配置して、連結部を台座やスペーサに連結し、かつ、固定部を敷設面に固定することができる。
【０００８】
また、請求項２に記載の発明に係る配線・配管材用台座装置は、請求項１に記載の配線・配管材用台座装置において、前記第１空間および前記第２空間の両方は、保持する配線・配管材の経路下とは異なる各側部に設けられる。こうして、第１空間と第２空間とを、保持する配線・配管材の経路下とは異なる各側部に設けることで、配線・配管材で邪魔されることなく、固定具の連結部を第１空間とか第２空間に差し入れたり、固定部を敷設面に固定することができる。すなわち、配線・配管材を台座で保持した後であっても、容易に、固定具を配置して、連結部を台座やスペーサに連結し、かつ、固定部を敷設面に固定することができる。
【０００９】
また、請求項３に記載の発明に係る配線・配管材用台座装置は、請求項１または２に記載の配線・配管材用台座装置において、前記第２空間は、前記スペーサに設けられ、前記台座および前記スペーサは、前記第２配置状態にて互いに連通する貫通孔を有する。そして、前記第２配置状態では、雄ねじ部材が、前記台座の貫通孔と前記スペーサの貫通孔とを貫通して前記第２空間に差し込まれた前記連結部にねじ込まれるとともに、前記固定部が前記敷設面に固定されることで、前記台座と前記スペーサとが一体となって、前記敷設面に固定される。
【００１０】
また、請求項４に記載の発明に係る配線・配管材用台座装置は、請求項１ないし３のいずれか１項に記載の配線・配管材用台座装置において、前記第１空間を形成する内壁面または前記第２空間を形成する内壁面には、差し込まれた前記連結部と係合してその連結部を位置決めする位置決め部が設けられる。
【００１１】
また、請求項５に記載の発明に係る配線・配管材用台座装置は、請求項１ないし４のいずれか１項に記載の配線・配管材用台座装置において、前記第１空間を形成する下方を向く第１天壁面と前記連結部の上面とは、前記第１配置状態にて略接するように設けられ、かつ、前記第２空間を形成する下方を向く第２天壁面と前記連結部の上面とは、前記第２配置状態にて略接するように設けられる。
【００１２】
また、請求項６に記載の発明に係る配線・配管材の交差配設構造は、配線・配管材を敷設面上に配設すべく前記配線・配管材を上部にて保持可能な台座と、前記台座と前記敷設面との間に介在して前記台座を嵩上げするスペーサとを、備える。ここで、前記台座としての第１台座が、前記スペーサを介在させることなく前記敷設面に配置されて、その第１台座の上部に設けられた配線・配管材保持部により、前記配線・配管材としての第１配線・配管材が保持される。また、前記台座としての第２台座が、前記スペーサを介在させて前記敷設面に配置されて、その第２台座の上部に設けられた配線・配管材保持部により、前記配線・配管材としての第２配線・配管材が、前記第１配線・配管材の上方をその第１配線・配管材と交差するように保持される。そして、前記第２台座と前記スペーサとは、組み付けられて一体化されている。
【００１３】
この配線・配管材の交差配設構造によると、上部に配線・配管材を保持するための台座は、スペーサを介在させることなく敷設面に設置され、また、スペーサにより嵩上げされて敷設面に設置される。こうして、スペーサを使用しなかったり、スペーサを使用したりすることで、台座の配置される高さ、ひいては、配線・配管材の配設される高さを変更することができる。そこで、第１台座を、スペーサを介在させることなく敷設面に配置し、第２台座をスペーサを介在させて敷設面に配置することで、容易に、第１台座の上部の配線・配管材保持部で保持した配線・配管材に対し、その上方に、第２台座の上部の配線・配管材保持部で保持した配線・配管材を交差させることができる。
【００１４】
また、請求項７に記載の発明に係る配線・配管材の交差配設構造は、請求項６に記載の交差配設構造において、前記第１台座は、その第１台座に設けられた被連結部に第１固定具に設けられた連結部が連結されるとともに、前記第１固定具に設けられた固定部が前記敷設面に固定されることで、前記敷設面に固定されている。そして、前記スペーサは、前記台座および／または前記スペーサに設けられた被連結部に前記第１固定具と同一の第２固定具に設けられた連結部が連結されるとともに、前記第２固定具に設けられた固定部が前記敷設面に固定されることで、前記敷設面に、前記スペーサと一体化される前記第２台座とともに固定されている。
【００１５】
また、請求項８に記載の発明に係る配線・配管材の交差配設装置は、配線・配管材を敷設面上に配設すべく前記配線・配管材を上部にて保持可能な台座と、前記台座と前記敷設面との間に介在して前記台座を嵩上げするスペーサとを、備える。ここで、前記スペーサは、そのスペーサを前記台座と前記敷設面との間に介在させることで、前記台座の上部に設けられた配線・配管材保持部が保持する配線・配管材が、前記スペーサを介在させることなく前記敷設面に配置された他の台座に設けられた配線・配管材保持部が保持する配線・配管材よりも、上方に交差して配設されるよう、前記台座を嵩上げする高さを有する。
【００１６】
この配線・配管材の交差配設装置によると、上部に配線・配管材を保持するための台座は、スペーサを介在させることなく敷設面に設置され、また、スペーサにより嵩上げされて敷設面に設置される。こうして、スペーサを使用しなかったり、スペーサを使用したりすることで、台座の配置される高さ、ひいては、配線・配管材の配設される高さを変更することができる。ここで、スペーサは、そのスペーサを介在させることで、台座の上部に設けられた配線・配管材保持部が保持する配線・配管材が、スペーサを介在させることなく敷設面に配置された他の台座に設けられた配線・配管材保持部が保持する配線・配管材よりも、上方に交差して配設されるよう、台座を嵩上げする高さを有しており、このスペーサを用いることで、簡単に、配線・配管材を交差させて配設することができる。
【発明の効果】
【００１７】
この発明に係る配線・配管材用台座装置、配線・配管材の交差配設構造、および配線・配管材の交差配設装置によれば、スペーサを適宜用いることで、配線・配管材の高さ位置を、簡単に変えて配設することができる。
【図面の簡単な説明】
【００１８】
【図１】この発明の一実施の形態の、配線・配管材の交差配設構造を示す斜視図である。
【図２】同じく、台座の第１配置状態での配線・配管材の配設状態を示す斜視図である。
【図３】同じく、縦断面図である。
【図４】同じく、台座の第２配置状態での配線・配管材の配設状態を示す斜視図である。
【図５】同じく、縦断面図である。
【図６】同じく、スペーサを二つ用いた台座の第２配置状態での配線・配管材の配設状態を示す斜視図である。
【図７】同じく、縦断面図である。
【図８】同じく、台座の斜視図である。
【図９】同じく、台座の縦断面図である。
【図１０】同じく、台座の側面図である。
【図１１】同じく、配線・配管材保持部の斜視図である。
【図１２】同じく、上方から見たスペーサの斜視図である。
【図１３】同じく、下方から見たスペーサの斜視図である。
【図１４】同じく、固定具の斜視図である。
【図１５】同じく、固定具の縦断面図である。
【図１６】この発明の他の実施の形態の、台座の第１配置状態での配線・配管材の配設状態を示す縦断面図である。
【図１７】同じく、台座の第２配置状態での配線・配管材の配設状態を示す縦断面図である。
【図１８】従来の配管材の配設状態を示す一部を破断した斜視図である。
【発明を実施するための形態】
【００１９】
以下、この発明に係る配線・配管材用台座装置、配線・配管材の交差配設構造、および配線・配管材の交差配設装置を実施するための形態を図面に基づいて説明する。
【００２０】
図１〜図１５は、本発明の一実施の形態を示す。図中符号１は、建物の屋上とか建造物の床面等、その他の敷設面を示す。２は、配線・配管材（配線材または配管材）を示す。３は、前記配線・配管材２を前記敷設面１に配設するための配線・配管材用台座装置を示す。
【００２１】
配線・配管材用台座装置３は、台座４とスペーサ５と固定具６とを備える。台座４は、配線・配管材２を敷設面１上に配設すべく配線・配管材２を上部にて（詳しくは、上部に並列させて）保持可能なものである。詳細には、台座４は、その台座４の上部に設けられた配線・配管材保持部７により、配線・配管材２を保持する。そして、スペーサ５は、台座４と敷設面１との間に介在して台座４を嵩上げするものであり、詳しくは、スペーサ５は、積重ね可能となっている。固定具６は、台座４を敷設面１に固定するためのものであり、連結部６ａおよび固定部６ｂを有する。
【００２２】
そこで、スペーサ５を介在させることなく台座４を敷設面１に配置した第１配置状態で（図２、図３参照）、固定具６における連結部６ａが、台座４に設けられる第１空間８に外側から差し込まれて、台座４に連結されるとともに、固定具６における固定部６ｂが、台座４の外方に張り出して敷設面１に固定され、かつ、スペーサ５を介在させて台座４を敷設面１に配置した第２配置状態で（図４〜図７参照）、連結部６ａが、スペーサ５または台座４（図示実施の形態においては、スペーサ５）に設けられる第２空間９に外側から差し込まれて、台座４および／またはスペーサ５（図示実施の形態においては、台座４およびスペーサ５）に連結されるとともに、固定部６ｂが、台座４およびスペーサ５の外方に張り出して敷設面１に固定されるよう、第１空間８および第２空間９が設けられ、また、固定具６が形成されている。つまり、固定具６における固定部６ｂからの連結部６ａまでの高さに合わせて、第１配置状態での第１空間８の高さと、第２配置状態での第２空間９の高さとが設定される。逆に見れば、第１配置状態での第１空間８の高さと、第２配置状態での第２空間９の高さとは同じであって、その高さに合わせて、固定具６における固定部６ｂからの連結部６ａまでの高さが設定される。
【００２３】
詳細には、第１空間８および第２空間９の両方は、保持する配線・配管材２の経路下とは異なる各側部（図示実施の形態においては、配線・配管材２を並列させるその並列方向Ｐの各側部）に設けられる。そして、第１空間８を形成する下方を向く第１天壁面８ａと連結部６ａの上面とは、前記第１配置状態にて略接するように設けられる。同様に、第２空間９を形成する下方を向く第２天壁面９ａと連結部６ａの上面とは、前記第２配置状態にて略接するように設けられる。そして、第１空間８を形成する内壁面または第２空間９を形成する内壁面（図示実施の形態においては、第２空間９を形成する内壁面）には、差し込まれた連結部６ａと係合してその連結部６ａを位置決めする位置決め部Ｘが設けられる。
【００２４】
また、図示実施の形態においては、第２空間９は、スペーサ５に設けられる。そして、台座４およびスペーサ５は、前記第２配置状態にて互いに連通する貫通孔４ａ、５ａを有する。そこで、この第２配置状態では、雄ねじ部材としての第２雄ねじ部材１１が、台座４の貫通孔４ａとスペーサ５の貫通孔５ａとを貫通して第２空間９に差し込まれた連結部６ａにねじ込まれることで、連結部６ａは、台座４およびスペーサ５に連結される。そして、第２雄ねじ部材１１が連結部６ａにねじ込まれるとともに、固定部６ｂが敷設面１に固定されることで、台座４とスペーサ５とが一体となって、敷設面１に固定される。
【００２５】
具体的には、台座４は、横長となる略直方体形状の台座本体４ｘと、前述の配線・配管材保持部７を支持する支持体４ｙとを備える。台座本体４ｘは、上面に、その台座本体４ｘの長手方向に沿って延びる溝４ｂを有して、内部には、重りとなるコンクリートブロック４ｃが収容されている（図９参照）。支持体４ｙは、台座本体４ｘの溝４ｂに嵌められ、ビス１２により台座本体４ｘに固定される。この支持体４ｙは、上方に開口する断面略コ字形状をして、溝４ｂに沿って延びるように形成されている。また、この支持体４ｙは、断面略コ字形状の両先端から、互いに向かい合う側に延びて若干下方に折れ曲がって形成された係合部４ｄを有する。
【００２６】
そこで、これら係合部４ｄ、４ｄに、配線・配管材保持部７（詳しくは、配線・配管材保持部７に設けられる被係合部７ａ）が係合し、その配線・配管材保持部７は、支持体４ｙの延びる方向（つまりは、台座４の長手方向）の任意位置に支持される。そして、複数（図示実施の形態においては、二つ）の配線・配管材保持部７、７を、支持体４ｙの長手方向に並べることで、その方向に、配線・配管材２、２を並列させることができる。すなわち、支持体４ｙの延びる方向、つまりは台座４の長手方向が、配線・配管材２を並列させるその並列方向Ｐとなる。
【００２７】
そして、前述の第１空間８は、配線・配管材２の並列方向Ｐである、台座４の長手方向の各側部に設けられる。詳細には、第１空間８は、配線・配管材２の並列方向Ｐの各側部において、側方および下方に開口する凹部によって形成される。そして、この第１空間８の上方が被連結部４ｅとなり、この被連結部４ｅには、前述の貫通孔４ａが設けられる。そこで、第１配置状態では、第１雄ねじ部材１０が、台座４の貫通孔４ａを貫通して第１空間８に差し込まれた連結部６ａにねじ込まれるとともに、固定部６ｂが敷設面１に固定されることで、台座４は、敷設面１に固定される。
【００２８】
また、この被連結部４ｅには、第１空間８から上に向かって窪み４ｆが設けられ（図９参照）、第１空間８からこの窪み４ｆに指を差し入れて指を掛けることで、台座４を容易に持ち運ぶことができる。すなわち、台座４は、被連結部４ｅに、台座４の持ち運びのための指掛け部を備える。また、前述したように、第１空間８を形成する下方を向く第１天壁面８ａ、つまり被連結部４ｅの下面と、固定具６における連結部６ａの上面とは、前記第１配置状態にて略接するように設けられる。
【００２９】
配線・配管材保持部７は、二つの分割保持体７ｘ、７ｘを備える。これら分割保持体７ｘ、７ｘは、対称形状に形成されて、両側から配線・配管材２を挟むように、配線・配管材２の周面に沿って湾曲して形成される。そして、各分割保持体７ｘの下部には、前述の被係合部７ａが設けられ、また、上部には、締付けボルト（図示せず）を取り付けるための取付部７ｂが設けられる。つまり、各取付部７ｂには、取付孔７ｃがあけられ、両取付孔７ｃ、７ｃを挿通する締付けボルトを締め付けることで、両分割保持体７ｘ、７ｘが、配線・配管材２を挟み込むとともに、配線・配管材２を台座４の上面に押さえつけ、これによって、台座４の係合部４ｄ、４ｄに係合した両分割保持体７ｘ、７ｘ（つまり、配線・配管材保持部７）は、台座４に固定され、また、配線・配管材２は、台座４に保持される。
【００３０】
スペーサ５は、略直方体形状に形成され、配線・配管材２の並列方向Ｐ（図示実施の形態においては、台座４の長手方向）の各側に配置される。そして、前述の第２空間９は、配線・配管材２の並列方向Ｐの各側部に設けられる。詳細には、第２空間９は、配線・配管材２の並列方向Ｐの各側部において、側方および下方に開口する凹部によって形成される。そして、この第２空間９の上方が被連結部５ｂとなり、この被連結部５ｂには、前述の貫通孔５ａが設けられる。また、前述したように、第２空間９を形成する下方を向く第２天壁面９ａ、つまり被連結部５ｂの下面と、固定具６における連結部６ａの上面とは、前記第２配置状態にて略接するように設けられる。
【００３１】
また、第２空間９を形成する内壁面（図示実施の形態においては、奥側の面）には、前述の位置決め部Ｘが設けられ、この位置決め部Ｘは、上下に延びる凸部Ｘ１からなる。そして、この凸部Ｘ１が、固定具６における連結部６ａの後述する凹部６ｄと係合することで、連結部６ａ（つまり、固定具６）を位置決めする。また、連結部６ａは、第２空間９にちょうど嵌まり、この第２空間９を形成する内壁面もまた、連結部６ａを位置決めする位置決め部Ｘとなる。
【００３２】
また、スペーサ５、５どうしは、それらを積み重ねたとき、互いに位置決めされる。同様に、スペーサ５と台座４とは、互いに位置決めされる。図示実施の形態においては、スペーサ５は、上面に、位置決め凸部５ｃ（図示実施の形態においては二つの位置決め凸部）が設けられ、下面に、位置決め凹部５ｄ（図示実施の形態においては二つの位置決め凹部）が設けられる。そして、スペーサ５、５どうしを積み重ねると、下側のスペーサ５の位置決め凸部５ｃが、上側のスペーサ５の位置決め凹部５ｄに嵌まり、これらスペーサ５、５は、互いに位置決めされる。そして、スペーサ５の上に台座４を載せると、スペーサ５の位置決め凸部５ｃが、台座４の第１空間８を形成する内壁面に係合し、これらスペーサ５と台座４とは、互いに位置決めされる。
【００３３】
固定具６は、例えば金属板からなり、起立部６ｃと、前述の連結部６ａおよび固定部６ｂとから構成される。詳細には、連結部６ａが、直立する起立部６ｃの上端から一方の方向に水平に折れ曲がって形成され、固定部６ｂが、起立部６ｃの下端から、一方の方向とは反対の方向に水平に折れ曲がって形成される。そして、連結部６ａの先端部分に凹部６ｄが設けられ、前述したように、この凹部６ｄと、スペーサ５における第２空間９を形成する内壁面の凸部Ｘ１とが係合する。また、連結部６ａには、雌ねじ６ｅが設けられ、この雌ねじ６ｅに雄ねじ部材（つまり、前述の第１雄ねじ部材１０とか第２雄ねじ部材１１）がねじ込まれることとなる。また、固定部６ｂには、アンカーボルト（図示せず）が通される固定孔６ｆがあけられている。さらに、固定部６ｂは、その周縁を残して上方に膨出して形成されており、その膨出によって、下面側に、接着剤の充填空間６ｇが形成される。すなわち、固定部６ｂは、敷設面１に、アンカーボルトを用いて固定されたり、接着剤を用いて固定されたりする。
【００３４】
次に、配線・配管材２の交差配設構造１３について説明する（図１参照）。この交差配設構造１３は、前述の台座４とスペーサ５とを備える。そこで、台座４としての第１台座４０１が、スペーサ５を介在させることなく敷設面１に配置されて、その第１台座４０１の上部に設けられた配線・配管材保持部７により、配線・配管材２としての第１配線・配管材２０１が保持される。また、台座４としての第２台座４０２が、スペーサ５を介在させて敷設面１に配置されて、その第２台座４０２の上部に設けられた配線・配管材保持部７により、配線・配管材２としての第２配線・配管材２０２が、第１配線・配管材２０１の上方をその第１配線・配管材２０１と交差するように保持される。
【００３５】
そして、第２台座４０２とスペーサ５とは、組み付けられて一体化されている。図示実施の形態においては、第２雄ねじ部材１１が、台座４の貫通孔４ａとスペーサ５の貫通孔５ａとを貫通して第２空間９に差し込まれた連結部６ａにねじ込まれることで、第２台座４０２とスペーサ５とは一体化される。
【００３６】
また、この交差配設構造１３は、固定具６（詳しくは、第１固定具６０１および、その第１固定具６０１と同一の第２固定具６０２）を備える。そこで、第１台座４０１は、その第１台座４０１に設けられた前述の被連結部４ｅに第１固定具６０１に設けられた連結部６ａが連結されるとともに、第１固定具６０１に設けられた固定部６ｂが敷設面１に固定されることで、敷設面１に固定される。そして、スペーサ５は、第２台座４０２および／またはスペーサ５に設けられた被連結部（図示実施の形態においては、第２台座４０２およびスペーサ５に設けられた被連結部４ｅ、５ｂ）に第２固定具６０２に設けられた連結部６ａが連結されるとともに、第２固定具６０２に設けられた固定部６ｂが敷設面１に固定されることで、敷設面１に、スペーサ５と一体化される第２台座４０２とともに固定されている。
【００３７】
次いで、配線・配管材２の交差配設装置１４について説明する（図１参照）。この交差配設装置１４は、前述の台座４とスペーサ５とを備える。そこで、スペーサ５は、そのスペーサ５を台座４と敷設面１との間に介在させることで、台座４（つまり、第２台座４０２）の上部に設けられた配線・配管材保持部７が保持する配線・配管材２（つまり、第２配線・配管材２０２）が、スペーサ５を介在させることなく敷設面１に配置された他の台座４（つまり、第１台座４０１）に設けられた配線・配管材保持部７が保持する配線・配管材２（つまり、第１配線・配管材２０１）よりも、上方に交差して配設されるよう、台座４を嵩上げする高さを有する。すなわち、例えば、配線・配管材２の直径が２７．５ｍｍであるのに対し、スペーサ５の、台座４を嵩上げする高さを、３０ｍｍとすることで、片側につき一つ（つまり、一段）のスペーサ５で、配線・配管材２、２を干渉するとなく交差させることができる。
【００３８】
次に、以上の構成からなる配線・配管材用台座装置３、交差配設構造１３、および交差配設装置１４の作用効果について説明する。これら装置および構造によると、上部に配線・配管材２を保持するための台座４は、スペーサ５を介在させることなく敷設面１に設置され、また、スペーサ５により嵩上げされて敷設面１に設置される。こうして、スペーサ５を使用しなかったり、スペーサ５を使用したりすることで、台座４の配置される高さ、ひいては、配線・配管材２の配設される高さを変更することができる。すなわち、スペーサ５を適宜用いることで、配線・配管材２の高さ位置を、簡単に変えて配設することができる。そこで、図１に示すように、第１台座４０１を、スペーサ５を介在させることなく敷設面１に配置し、第２台座４０２をスペーサ５を介在させて敷設面１に配置することで、容易に、第１台座４０１の上部の配線・配管材保持部７で保持した配線・配管材２（詳しくは、第１配線・配管材２０１）に対し、その上方に、第２台座４０２の上部の配線・配管材保持部７で保持した配線・配管材２（詳しくは、第２配線・配管材２０２）を交差させることができる。
【００３９】
また、スペーサ５は、そのスペーサ５を介在させることで、台座４の上部に設けられた配線・配管材保持部７が保持する配線・配管材２が、スペーサ５を介在させることなく敷設面１に配置された他の台座４に設けられた配線・配管材保持部７が保持する配線・配管材２よりも、上方に交差して配設されるよう、台座４を嵩上げする高さを有しており、このスペーサ５を用いることで、簡単に、配線・配管材２、２を交差させて配設することができる。
【００４０】
また、スペーサ５は、積重ね可能となっており、その使用する個数を調整することができる。こうして、スペーサ５を使用しなかったり、その個数を調整して使用したりすることで、台座４の配置される高さ、ひいては、配線・配管材２の配設される高さを必要とする高さに変更することができる。
【００４１】
また、スペーサ５を介在させることなく台座４を敷設面１に配置した第１配置状態では、固定具６は、その連結部６ａが、台座４に設けられる第１空間８に外側から差し込まれて台座４に連結され、固定部６ｂが、敷設面１に固定される（図２、図３参照）。そして、スペーサ５を介在させて台座４を敷設面１に配置した第２配置状態では、固定具６は、その連結部６ａが、スペーサ５または台座４（図示実施の形態においては、スペーサ５）に設けられる第２空間９に外側から差し込まれて、台座４および／またはスペーサ５（図示実施の形態においては、台座４およびスペーサ５）に連結され、固定部６ｂが、敷設面１に固定される（図４〜図７参照）。こうして、台座４に第１空間８を設けるとともに、スペーサ５または台座４（図示実施の形態においては、スペーサ５）に第２空間９を設けることで、スペーサ５を用いない第１配置状態と、スペーサ５を用いた第２配置状態とのいずれにおいても、同じ、固定具６を用いることができる。
【００４２】
そして、固定具６は、その連結部６ａが第１空間８または第２空間９に外側から差し込まれ、固定部６ｂが、台座４やスペーサ５の外方に張り出すことから、台座４やスペーサ５を配置した後でも、固定具６を配置して、連結部６ａを台座４やスペーサ５に連結し、かつ、固定部６ｂを敷設面１に固定することができる。
【００４３】
また、第１空間８および第２空間９の両方は、保持する配線・配管材２の経路下とは異なる各側部（図示実施の形態においては、配線・配管材２の並列方向Ｐの各側部）に設けられている。これにより、配線・配管材２で邪魔されることなく、固定具６の連結部６ａを第１空間８とか第２空間９に差し入れたり、固定部６ｂを敷設面１に固定することができる。すなわち、配線・配管材２を台座４で保持した後であっても、容易に、固定具６を配置して、連結部６ａを台座４やスペーサ５に連結し、かつ、固定部６ｂを敷設面１に固定することができる。
【００４４】
また、このように、配線・配管材２の配設経路を確定してから（つまり、台座４の位置調整とか配線・配管材２の配設状態や交差状態の調整の後に）、台座４を固定具６を用いて敷設面１に固定可能であるが、台座４の重りとなるコンクリートブロック４ｃにより、固定具６が不要な個所は固定することなく、必要なところだけ固定することもできる。そして、この固定にあたっては、スペーサ５の有無によって高さを異にする台座４に対し、同じ固定具６を用いて固定することができる。
【００４５】
また、第２配置状態では、第２雄ねじ部材１１が、台座４の貫通孔４ａとスペーサ５の貫通孔５ａとを貫通して連結６ａ部にねじ込まれて、台座４とスペーサ５とが連結部６ａに共締めされることで、台座４とスペーサ５とが組み付けられて一体化されるため、別途、台座４とスペーサ５とを一体化する必要がない。
【００４６】
また、第１空間８を形成する第１天壁面８ａと、固定具６における連結部６ａの上面とは、第１配置状態にて略接するように設けられる。これにより、第１配置状態にて、連結部６ａで被連結部４ｅをしっかりと支持することができる。同様に、第２空間９を形成する第２天壁面９ａと、固定具６における連結部６ａの上面とは、第２配置状態にて略接するように設けられる。これにより、第２配置状態にて、連結部６ａで被連結部５ｂをしっかりと支持することができる。
【００４７】
なお、本発明は、上述した実施の形態に限定されるわけではなく、その他種々の変更が可能である。例えば、第２配置状態にて、固定具６（詳しくは、第２固定具６０２）における連結部６ａは、第２雄ねじ部材１１が台座４（詳しくは、第２台座４０２）およびスペーサ５の貫通孔４ａ、５ａを貫通することで、台座４およびスペーサ５（詳しくは、それらの被連結部４ｅ、５ｂ）に連結されるが、第２雄ねじ部材１１がスペーサ５の貫通孔５ａのみを貫通することで、スペーサ５のみに連結されてもよい。そして、この場合には、別途の手段により、台座４とスペーサ５とを一体化するよう組み付けるのがよい。
【００４８】
また、第２空間９は、スペーサ５に設けられなくとも、図１６および図１７に示すように、台座４に設けられてもよい。ここで、図１６は、第１配置状態を示し、図１７は、第２配置状態を示す。この実施の形態においては、台座４の被連結部４ｅは、上下に分離し、分離した被連結部４ｅ、４ｅの間が、第１空間８となり、下側の被連結部４ｅの下方が第２空間９となる。そこで、第１配置状態においては、固定具６（詳しくは、第１固定具６０１）における連結部６ａは、台座４（詳しくは、第１台座４０１）の上側の被連結部４ｅに連結される。一方、第２配置状態においては、固定具６（詳しくは、第２固定具６０２）における連結部６ａは、台座４（詳しくは、第２台座４０２）の分離した両方の被連結部４ｅ、４ｅに連結される。そして、このとき、台座４とスペーサ５とは、互いに位置決めされており、スペーサ５がずれることなく両者は一体化されている。
【００４９】
また、第２空間９を形成する内壁面には、位置決め部Ｘが設けられるが、同様にして、第１空間８を形成する内壁面においても、差し込まれた連結部６ａと係合してその連結部６ａを位置決めする位置決め部が設けられてもよい。
【００５０】
また、第１空間８を形成する下方を向く第１天壁面８ａと連結部６ａの上面とは、第１配置状態にて略接するように設けられるが、この略接する部分は、連結部６ａの上面のいずれの場所であってもよく、また、全体であってもよく、さらには、接することなく離れていてもよい。同様に、第２空間９を形成する下方を向く第２天壁面９ａと連結部６ａの上面とは、第２配置状態にて略接するように設けられるが、この略接する部分は、連結部６ａの上面のいずれの場所であってもよく、また、全体であってもよく、さらには、接することなく離れていてもよい。
【００５１】
また、固定具６における連結部６ａには、雄ねじ部材１０、１１がねじ込まれるが、この雄ねじ部材１０、１１に替えて、例えば、連結部６ａに係合する係止爪を有する部材を用いてもよい。また、雄ねじ部材等を用いることなく、固定具６（詳しくは、連結部６ａ）で、台座４とかスペーサ５を押さえつけるようにしてもよい。また、この固定具６は、必要なければ用いなくともよい。
【００５２】
また、スペーサ５は、積重ね可能となっているが、積重ね可能でなくともよい。
【００５３】
また、スペーサ５は、台座４に対し、その両側に個別に配置されるが、それらスペーサ５、５の間を、敷設面１に直置きした配線・配管材２の経路として利用してもよい。また、スペーサ５は、台座４に対し両側に個別に配置されなくとも、両者が一体に形成された一枚ものからなっていてもよい。そして、このようにスペーサ５を一体に形成した場合であっても、その中間位置に、配線・配管材２の経路となる空間を設けるようにしてもよい。
【００５４】
また、台座４は、配線・配管材２を並列させて保持可能となっていなくとも、一本の配線・配管材２のみを保持するものであってもよい。
【符号の説明】
【００５５】
１  敷設面
２  配線・配管材
２０１  第１配線・配管材
２０２  第２配線・配管材
３  配線・配管材用台座装置
４  台座
４０１  第１台座
４０２  第２台座
４ａ  貫通孔
４ｅ  被連結部
５  スペーサ
５ａ  貫通孔
５ｂ  被連結部
６  固定具
６０１  第１固定具
６０２  第２固定具
６ａ  連結部
６ｂ  固定部
７  配線・配管材保持部
８  第１空間
８ａ  第１天壁面
９  第２空間
９ａ  第２天壁面
１１  第２雄ねじ部材（雄ねじ部材）
１３  配線・配管材の交差配設構造
１４  配線・配管材の交差配設装置
Ｘ  位置決め部
【図１】
2015154537.tif 000003
【図２】
2015154537.tif 000004
【図３】
2015154537.tif 000005
【図４】
2015154537.tif 000006
【図５】
2015154537.tif 000007
【図６】
2015154537.tif 000008
【図７】
2015154537.tif 000009
【図８】
2015154537.tif 000010
【図９】
2015154537.tif 000011
【図１０】
2015154537.tif 000012
【図１１】
2015154537.tif 000013
【図１２】
2015154537.tif 000014
【図１３】
2015154537.tif 000015
【図１４】
2015154537.tif 000016
【図１５】
2015154537.tif 000017
【図１６】
2015154537.tif 000018
【図１７】
2015154537.tif 000019
【図１８】
2015154537.tif 000020